(57)【要約】【課題】本発明は、簡略な構成で安価な建築物を構成できる充填鋼管コンクリートによる柱の配筋構造を提供する。【解決手段】柱３の鋼管４は、梁２の上下で同軸となるように配設されており、柱３と梁２の接合部には、接合鉄筋６が鋼管４の内周面に沿うように、所定の間隔を持って複数本配置されている。これらは、梁２を上下に挿通し、上下両端部６ａ、６ｂを、それぞれ上下の柱３の鋼管４内に挿入され、コンクリート５中に定着される。これにより、接合鉄筋６を介して梁２と、梁２の上下に配される柱３とが構造的に一体に接合される。このような接合部は、鉛直方向に連続して存在しており、これに伴い接合鉄筋６も上下方向に複数が同軸となるように配置されている。このような構成の接合鉄筋６は、継ぎ手を形成できる距離をもって上下端部６ａ、６ｂどうしが向かい合うものの連結されず、自由端を形成している。【選択図】　図１
2004131961.tif 000002
【特許請求の範囲】
【請求項１】
高層もしくは超高層に構築され、鋼管内にコンクリートを充填した柱と、鉄筋コンクリート造もしくは鉄骨鉄筋コンクリート造の梁を備える建築物に用いられる柱の配筋構造であって、
前記梁と該梁の上下に連設される前記柱とを接合すべく、前記梁を上下に挿通するように鉛直方向に延在し、前記鋼管の内周に沿うように所定の間隔を持って複数配される接合鉄筋が、鉛直方向に複数連続する柱の鋼管と梁の接合部各々に、同軸となるように配置されており、
該接合鉄筋の上下両端部が、連接される接合鉄筋の上下端部と向かい合って継ぎ手を形成する長さまで、前記柱の鋼管内に挿入されることを特徴とする柱の配筋構造。
【請求項２】
請求項１に記載の接合鉄筋の継ぎ手構造において、
前記柱の内方に、水平に配されるせん断補強筋が備えられており、
該せん断補強筋が、前記柱の延伸軸を中心に直交する２方向各々に配され、前記鋼管の内周に沿って複数備えられている前記接合鉄筋の少なくとも一部を囲うように配される第１の帯筋及び第２の帯筋を組み合わせて構成されることを特徴とする柱の配筋構造。
【発明の詳細な説明】
【０００１】
【発明の属する技術分野】
本発明は、鋼管内にコンクリートを充填した柱の配筋構造に関する。
【０００２】
【従来の技術】
鋼管内にコンクリートを充填した柱（以下、充填鋼管コンクリート柱と称す）は、通常のＲＣ造の柱と比較して、優れた耐力を有することで一般に知られている。充填鋼管コンクリート柱は、柱施工に係る施工性がよいとともに、梁に鉄筋コンクリート造を採用すれば、梁施工に関しても通常のＲＣ造の場合における施工手順をほぼそのまま採用することが可能なものである。
このような充填鋼管コンクリート柱と梁の接合には、鉛直方向に延在する接合鉄筋を用いており、梁を上下方向に挿通した接合鉄筋の上下端部を、柱の鋼管内に挿入してコンクリートに定着するものである。このように用いられる接合鉄筋は、鉛直方向に連続して配置される梁と柱との接合部各々に存在するため、接合鉄筋も鋼管の内方で、上下方向に連続して配される構成となっている（特許文献１の第１図を参照）。
【０００３】
ところで、鉛直方向、もしくは水平方向に連続して配された鉄筋を連結する際には、機械式継ぎ手が用いられている（例えば、特許文献２の第９図参照）。従来より、高層ないし超高層の建築物を構成する柱に用いる鉄筋には、高強度の太径鉄筋を用いることが一般的になっており、これらの太径鉄筋を上下方向に連続して配置し連結する際にも、同様にスリーブ等の機械式継ぎ手が用いられる。
【０００４】
【特許文献１】
特開平１１−２２９４９５号公報（第１図を参照）
【特許文献２】
特公平３−５４５３号公報（第９図を参照）
【０００５】
【発明が解決しようとする課題】
しかし、太径鉄筋に用いる機械式継ぎ手は資材費用が高価であり、柱１台の構築に要するコストの約１／３を占めている。
【０００６】
上記事情に鑑み、本発明は、簡略な構成で安価な建築物を構成できる充填鋼管コンクリートによる柱の配筋構造を提供することを目的としている。
【０００７】
【課題を解決するための手段】
請求項１記載の柱の配筋構造は、高層もしくは超高層に構築され、鋼管内にコンクリートを充填した柱と、鉄筋コンクリート造もしくは鉄骨鉄筋コンクリート造の梁を備える建築物に用いられる柱の配筋構造であって、前記梁と該梁の上下に連設される前記柱とを接合すべく、前記梁を上下に挿通するように鉛直方向に延在し、前記鋼管の内周に沿うように所定の間隔を持って複数配される接合鉄筋が、鉛直方向に複数連続する柱の鋼管と梁の接合部各々に、同軸となるように配置されており、該接合鉄筋の上下両端部が、連接される接合鉄筋の上下端部と向かい合って継ぎ手を形成する長さまで、前記柱の鋼管内に挿入されることを特徴としている。
【０００８】
請求項２記載の柱の配筋構造は、前記柱の内方に、水平に配されるせん断補強筋が備えられており、該せん断補強筋が、前記柱の延伸軸を中心に直交する２方向各々に配され、前記鋼管の内周に沿って複数備えられている前記接合鉄筋の少なくとも一部を囲うように配される第１の帯筋及び第２の帯筋を組み合わせて構成されることを特徴としている。
【０００９】
【発明の実施の形態】
本発明の充填鋼管コンクリート造の柱の配筋構造を図１及び図２に示す。
【００１０】
（第１の実施の形態）
図１に示すように、高層ないし超高層の建築物１は、充填鋼管コンクリート造の柱３と、鉄筋コンクリート造の梁２とを備えている。柱３は、鋼管４内にコンクリート５を充填してなるものであり、梁２は図示しない主筋およびスタラップがコンクリート５中に埋設された通常の鉄筋コンクリート造のものである。
なお、本実施の形態では、図２に示すように、前記柱３の鋼管４に角柱が用いられているが、その断面はこれにこだわるものではなく、円形や多角形等の断面を有する構成としても良い。
【００１１】
これら柱３の鋼管４は、複数が梁２の上下で同軸となるように配設されており、鋼管４内に充填されているコンクリート５と梁２のコンクリート５が一体化されている。また、前記柱３の鋼管４と梁２の接合部には、柱３と梁２とを接合するための接合鉄筋６が、図２に示すように、前記鋼管４の内周面に沿うように、所定の間隔を持って複数本配置されている。このような接合鉄筋６は、高強度（ＳＤ３９０やＳＤ４９０等）の太径接合鉄筋（最大Ｄ４１）が用いられており、図１に示すように、鉛直方向に延在して梁２を上下に挿通し、上下両端部６ａ、６ｂを、それぞれ上下の柱３の鋼管４内に挿入されている。したがって、該接合鉄筋６の上下両端部６ａ、６ｂは、鋼管４内のコンクリート５中に定着されることとなり、これにより、接合鉄筋６を介して梁２と、該梁２の上下に配される鋼管４とコンクリート５よりなる柱３とが構造的に一体に接合されることとなる。
【００１２】
ところで、このような柱３の鋼管４と梁２の接合部は、鉛直方向に連続して存在しており、接合部各々に前記接合鉄筋６が配されることとなる。したがって、該接合鉄筋６は、水平方向だけでなく上下方向にも複数が隣接することとなり、これらは鉛直方向で同軸となるように配置されている。
このとき、前記接合鉄筋６は、上下方向に連接されたすべての合計長さが、柱３の部材長に満たない長さに成形されており、上下に向かい合う上下端部６ａ、６ｂどうしが接することはなく、継ぎ手が形成できる距離を持って向かい合う長さに成形される。このような構成の接合鉄筋６は、上下方向で同軸状に配されて、上下端部６ａ、６ｂどうしが向かい合うものの連結されることはなく、自由端を形成している。
但し、接合鉄筋６どうしが、上下端部６ａ、６ｂにわたって他の鉄筋を添え重ねることにより間接的に連結される場合を排除するものではない。
【００１３】
一方、前記柱３には、図１に示すように、水平に位置するせん断補強筋７が、前記接合鉄筋６の一部を取り囲むようにして、鉛直方向に所定の間隔を設けて複数配置されている。該せん断補強筋７は、図２に示すように、前記接合鉄筋６の一部を取り囲むようにして水平に配される第１の帯筋８及び第２の帯筋９により構成される。これら第１の帯筋８及び第２の帯筋９は、前記柱３の延伸軸を中心として直交して十字を形成する２方向に配され、これらを組み合わせて１組とすることにより形成されている。
【００１４】
なお、本実施の形態では、柱３の延伸軸を中心として向かい合う２本１組とした４本の接合鉄筋６を取り囲むように第１の帯筋８及び第２の帯筋９各々を配置しているが、これらが取り囲む接合鉄筋６の本数は、せん断補強筋７として機能するように設けられれば、これにこだわるものではない。
また、せん断補強筋７は、必ずしも配置する必要はない
【００１５】
上述する構成によれば、梁２と、充填鋼管コンクリート造の柱３とによりなる建築物１の柱３には、接合鉄筋６が配されており、その配筋構造は、柱３と梁２の接合部に、梁２を上下方向に貫通し、上下端部６ａ、６ｂを梁２の上下に配された鋼管４の内方に突出するようにして複数が配されている。また、このような接合鉄筋６が、鉛直方向に複数連続する柱３と梁２の接合部毎に設けられることから、該接合鉄筋６は前記鋼管４の内方で上下方向に同軸状で連接されることとなる。これら上下に連接された接合鉄筋６の向かい合う上下端部６ａ、６ｂどうしが、継ぎ手を形成できる所定の距離をもって向かい合う長さまで、前記柱３の鋼管４内に挿入されるものの、自由端を形成される。
【００１６】
このように梁２と柱３との接合部に接合鉄筋６が配された上でコンクリートが充填されることにより、梁２と充填鋼管コンクリート造の柱３との接合強度を向上させることが可能になる。
また、柱３の梁２との接合部の配筋が簡略であるとともに、上下方向に連接される接合鉄筋６の向かい合う上下端部６ａ、６ｂどうしが、継ぎ手を形成できる所定の距離をもって向かい合う長さまで、前記柱３の鋼管４内に挿入されるものの、自由端にするのみであるため構成が簡略で、施工性をより向上できるとともに、工期短縮に寄与することが可能となる。
【００１７】
このように、上下方向に連接される接合鉄筋６の向かい合う上下端部６ａ、６ｂどうしは、自由端が形成されることから、機械式継ぎ手等に要していた資材費を大幅に削減することが可能であり、かつ柱３に鋼管４を有していることから、柱３に型枠を設ける必要もないため、建築物１の構築に係る工費全体のコスト削減に大きく寄与することが可能となる。
【００１８】
さらに、前記接合鉄筋６に、せん断補強筋を備えることにより、充填鋼管コンクリート造の柱３の構造的安定性を向上させることが可能となる。
【００１９】
【発明の効果】
請求項１に記載の記載の柱の接合構造によれば、高層もしくは超高層に構築され、鋼管内にコンクリートを充填した柱と、鉄筋コンクリート造もしくは鉄骨鉄筋コンクリート造の梁を備える建築物に用いられる柱の配筋構造であって、前記梁と該梁の上下に連設される前記柱とを接合すべく、前記梁を上下に挿通するように鉛直方向に延在し、前記鋼管の内周に沿うように所定の間隔を持って複数配される接合鉄筋が、鉛直方向に複数連続する柱の鋼管と梁の接合部各々に、同軸となるように配置されており、該接合鉄筋の上下両端部が、連接される接合鉄筋の上下端部と向かい合って継ぎ手を形成する長さまで、前記柱の鋼管内に挿入されることから、梁と充填鋼管コンクリート造の柱との接合強度を向上させることが可能になる。
また、柱の梁との接合部の配筋が簡略であるとともに、上下方向に連接される接合鉄筋の向かい合う上下端部どうしが、継ぎ手を形成できる所定の距離をもって向かい合う長さまで、前記柱の鋼管内に挿入されるものの、自由端にするのみであるため構成が簡略で、施工性をより向上できるとともに、工期短縮に寄与することが可能となる。
【００２０】
このように、上下方向に連接される接合鉄筋の向かい合う上下端部どうしは、自由端が形成されることから、機械式継ぎ手等に要していた資材費を大幅に削減することが可能であり、かつ柱に鋼管を有していることから柱に型枠を設ける必要もないため、建築物の構築に係る工費全体のコスト削減に大きく寄与することが可能となる。
【００２１】
請求項２記載の柱の配筋構造によれば、前記柱の内方に、水平に配されるせん断補強筋が備えられており、該せん断補強筋が、前記柱の延伸軸を中心に直交する２方向各々に配され、前記鋼管の内周に沿って複数備えられている前記接合鉄筋の少なくとも一部を囲うように配される第１の帯筋及び第２の帯筋を組み合わせて構成されることから、充填鋼管コンクリート造の柱の構造的安定性を向上させることが可能となる。
【図面の簡単な説明】
【図１】本発明に係る柱の配筋構造を示す図である。
【図２】本発明に係る柱の断面を示す図である。
【符号の説明】
１　建築物
２　梁
３　柱
４　鋼管
５　コンクリート
６　接合鉄筋
７　帯筋
８　第１の帯筋
９　第２の帯筋
【図１】
2004131961.tif 000003
【図２】
2004131961.tif 000004